【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
特定のユーザに関連する個人の保護データおよびドキュメンテーションファイルを保存、および、管理する装置であって、
前記装置を保持する前記ユーザの複数の個人生物学的バイオメトリックス識別パラメータを読み出すための、前記装置内に組み込まれた複数のバイオメトリックセンサと、
前記装置内に組み込まれた少なくとも一つのライフサイン検出器であって、前記ユーザのライフサインパラメータの少なくとも１つを測定および記録するように構成されたライフサイン検出器と、
前記ユーザのデータおよびドキュメンテーションファイルの保存のための第一の保存ユニットと、
前記特定のユーザに固有に関連する、事前に記録された個人生物学的バイオメトリックス識別パラメータのセットを保存するように構成された第二の保存ユニットを含み、前記装置を保持する前記ユーザの複数の個人生物学的バイオメトリックス識別パラメータを、前記第二の保存ユニットに保存された前記事前に記録された個人生物学的バイオメトリックス識別パラメータのセットと比較するように構成されている認証ユニットと、
前記複数のバイオメトリックセンサ、前記第一の保存ユニット、および前記第二の保存ユニットと通信するプロセッサと、
を備えており、
前記第一の保存ユニットに保存された個人データおよびドキュメンテーションファイルへのアクセスが、前記認証ユニットが、前記装置を保持する前記ユーザの複数の個人生物学的バイオメトリックス識別パラメータの各々を、前記第二の保存ユニットに保存された前記事前に記録された個人生物学的バイオメトリックス識別パラメータのセットと肯定的に一致させた後にのみ、可能となり、および、
前記少なくとも一つのライフサイン検出器のいずれかが、ライフサインパラメータを測定された前記ユーザのクリティカルレベルを検出した時は常に、前記装置は、前記第一の保存ユニットに保存された前記ユーザの個人データおよびドキュメンテーションファイルへのアクセスを防止するように構成されている、
装置。
【請求項２】
前記複数のバイオメトリックセンサは、前記装置を保持する前記ユーザに関連する複数の個人生物学的識別パラメータを連続的に読み出すように構成されており、前記複数の個人生物学的識別パラメータのいずれかに変化が生じた場合に、前記保存された個人データファイルへのアクセスが拒絶され、前記装置の動作が完全に停止する、請求項１に記載の装置。
【請求項３】
前記ユーザのライフサインパラメータの少なくとも１つは、脈拍測定インジケータ、体内酸素飽和度インジケータ、体温測定インジケータ、皮膚電気活性インジケータ、体内呼吸インジケータ、および物質的または感情的ストレスインジケータを含むライフサインインジケータの群のいずれかにより測定される、請求項１に記載の装置。
【請求項４】
前記ライフサインインジケータの群の任意の１つがクリティカルレベルを検出した時は常に、前記装置は、登録済緊急センタの任意の群に対して緊急呼出しを起動し、前記ユーザ識別データファイル、前記ユーザの個人医療データファイル、前記ユーザのライフサインパラメータおよび前記ユーザの位置の測定セットを含む、前記ユーザに関連する情報を含む任意の群のデータファイルを、前記登録済緊急センタに送信するように構成される、請求項３に記載の装置。
【請求項５】
外部デバイスと通信するための通信およびデータ接続手段をさらに備えており、
前記通信およびデータ接続手段は、前記プロセッサによって制御され、および前記プロセッサと通信する、
請求項１に記載の装置。
【請求項６】
前記装置は、サービスプロバイダの群のいずれかと通信するように構成されており、前記サービスプロバイダの群は銀行、クレジットカード会社、クリニック、病院、医療保険会社、地方自治体、公益事業団体、および前記ユーザによって頻繁にアクセスされるウェブサイトを含み、これにより、前記ユーザが、前記ユーザに関連する個人データおよびドキュメンテーションファイルにアクセスし、かつそれを管理することが可能となる請求項５に記載の装置。
【請求項７】
前記外部デバイスは、遠隔サーバ、ローカルサーバ、ホストコンピュータ、音声またはデータ通信手段、および携帯電話を含む群の任意の１つを備えている、請求項５に記載の装置。
【請求項８】
前記緊急呼出しは、前記装置の接続および通信手段によるインターネット、任意のホストコンピュータを通じたインターネット、音声およびデータ通信デバイス、および任意の携帯電話ネットワークを直接介した、保護サーバを含む通信手段の群の任意の１つを通じて起動される、請求項４に記載の装置。
【請求項９】
前記緊急呼出しは、前記装置の接続および通信手段によるインターネット、任意のホストコンピュータを通じたインターネット、音声およびデータ通信デバイス、および携帯電話ネットワークを直接介した、保護サーバを含む通信手段の群の任意の１つを通じて起動される、請求項４に記載の装置。
【請求項１０】
前記通信およびデータ接続手段は、ホストコンピュータに取り付けられた任意のデータインターフェースコネクタ、携帯電話に取り付けられた小型ＵＳＢ、互換性のある工業データインターフェースコネクタ、近接場無線通信インターフェース、磁気リーダインターフェース、および誘導またはＲＦ通信を利用した非接触通信インターフェースに基づくスマートカードリーダを含む接続および通信デバイスの群の少なくとも１つを備えている、請求項５に記載の装置。
【請求項１１】
前記第一の保存ユニットは、アクセス可能なメモリサイズである少なくとも１０ギガバイトの記憶容量を有する、Ｆｌａｓｈおよび／またはＮａｎｏ型の固体読み出しおよび書き込みメモリ要素を有する取り外しかつアップグレード可能な小型ＰＣＢ回路基板を備えている、請求項１に記載の装置。
【請求項１２】
前記ユーザの個人生物学的バイオメトリックス識別パラメータの肯定的な認証後、および、ライフサインパラメータを測定された前記ユーザの、少なくとも一つの前記ライフサイン検出器の全てによる、肯定的な通常の非クリティカルな出力の測定後、のみに活性化可能な磁気帯要素をさらに備えており、
前記磁気帯は、前記装置内に隠れるように構成されており、活性化すると、機械に通されるために前記装置から外に延伸し、クレジットカードリーダ、ＡＴＭ、および販売時磁気帯読み出しデバイスを含む任意の群のデバイスにより読み出されるように構成されている、請求項１に記載の装置。
【請求項１３】
前記プロセッサが、前記ユーザのデータおよびドキュメンテーションファイルを安全に更新するように構成されている、請求項１に記載の装置。
【請求項１４】
前記プロセッサと通信し、ＲＦ作動クレジットカードリーダ、現金自動預け払い機、並びにＲＦＩＤベース技術を利用して遠隔から操作できる電子ロックまたはゲートおよびドアオープナーを含む任意の群の外部デバイスと通信するように構成されている統合デジタルデータエンコーダ／デコーダおよび無線トランシーバモジュールをさらに備えている、請求項１に記載の装置。
【請求項１５】
前記無線トランシーバと通信し、前記装置を電気的に充電し、同時に、前記装置内部の保護されたおよび非保護の保存データのバックアップを自動的に実行するように構成されている補助基地局デバイスをさらに備えている、請求項１４に記載の装置。
【請求項１６】
前記装置が接続されている通信デバイスの前記群の１つを通じて前記装置に接続されている前記コンピュータまたは携帯電話のオペレーティングシステムを自動的に検出する統合ソフトウェアモジュールをさらに備えており、前記コンピュータまたは携帯電話はキーボードおよびそれに関連する表示ユニットを有しており、前記ユーザは、これらを通じて前記装置の前記第一の保存ユニットおよび前記プロセッサと情報を送受信し得、前記コンピュータまたは携帯電話は、前記装置の前記メモリモジュール、前記プロセッサ、および前記センサモジュールを利用してそれと情報を送受信するように構成されている、請求項５に記載の装置。
【請求項１７】
前記装置の前記プロセッサと通信する電力充電およびデータバックアップデバイスをさらに備えており、前記デバイスが、
ｉ．主電源、ＡＣ−ＤＣ変換器、電源供給ユニット、および再充電可能予備電池と接続するための充電プラグと、
ｉｉ．マイクロプロセッサおよび大容量ユニットと、
ｉｉｉ．電子ブザー作動器、前記ブザー作動器に接続されているボタン、および前記電子ブザー作動器に接続されているＲＦトランスミッタであって、前記ブザーボタンを作動すると、符号化信号を前記装置に送信することにより、前記ユーザが前記装置の位置を決定可能なように構成されているＲＦトランスミッタと、
を備えており、
前記装置の前記第一の保存ユニットは、前記デバイスの前記大容量ユニットと通信することによって、前記装置の前記第一の保存ユニットに保存されている前記データのバージョンと、前記デバイスの大容量ユニットに保存されているデータのバージョンとを比較かつ同期させる、請求項１に記載の装置。
【請求項１８】
前記プロセッサと通信し、前記装置の地理的位置を正確に位置決めする統合ＧＰＳモジュールをさらに備えている、請求項１に記載の装置。
【請求項１９】
前記プロセッサと通信するための携帯電話モデム、フラットディスプレイおよびタッチスクリーンを含むユニットの群の内の少なくとも１つをさらに備えている、請求項１に記載の装置。
【請求項２０】
ユーザ個人データおよびドキュメンテーションファイル各々を保存するための、前記一ユーザに固有に関連する個人識別ユニットを有する複数の前記固有ユーザ各々の個人の保護データおよびドキュメンテーションファイルを管理するための方法であって、前記個人識別ユニットが、
前記個人識別ユニット内に組み込まれた複数のバイオメトリックセンサと、
前記個人識別ユニット内に組み込まれ、前記ユーザのライフサインパラメータの少なくとも１つを測定および記録するように構成された少なくとも一つのライフサイン検出器と、
前記複数のバイオメトリックセンサと通信するプロセッサと、
前記プロセッサと通信する認証ユニットと、
前記プロセッサと通信する暗号化ユニットと、
前記プロセッサおよび前記暗号化ユニットと通信する第一の保存ユニットと、および
前記プロセッサと通信する通信およびデータ接続手段と、
を備えており、
前記方法が、
ａ．前記複数のバイオメトリックセンサが、前記個人識別ユニットを保持する前記ユーザの複数の個人生物学的識別パラメータを読み出すステップと、
ｂ．前記装置内に組み込まれた少なくとも一つのライフサイン検出器が、前記ユーザのライフサインパラメータの少なくとも１つを測定および記録するステップと、
ｃ．前記認証ユニットが、前記ユーザの前記個人生物学的識別パラメータと、前記認証ユニットに保存されている、事前に記録された個人生物学的識別パラメータセットとを比較するステップと、および、
ｄ．前記認証ユニットが前記ユーザを肯定的に識別した場合、および前記少なくとも一つのライフサイン検出器の全てが前記ユーザの通常のライフサインパラメータを記録した場合に、前記ユーザに、前記第一の保存ユニットに保存されている前記ユーザ個人データおよびドキュメンテーションファイルへのアクセスを許可し、さらに、前記個人識別ユニットを通じた他の通信手段との通信を許可するステップと、
を含む方法。
【請求項２１】
前記バイオメトリックセンサが、前記装置を保持する前記ユーザの複数の個人生物学的バイオメトリックス識別パラメータを連続的に読み出すステップと、および、
前記複数の個人生物学的バイオメトリックス識別パラメータのいずれか、または、前記少なくとも一つのライフサイン検出器の通常の出力読み出しに変化が生じた場合に、前記保存された個人データファイルへのアクセスを拒絶し、前記装置の動作を完全に停止するステップと、をさらに含む、請求項２０に記載の方法。
【請求項２２】
前記複数のライフサイン検出器の少なくとも１つは、脈拍測定インジケータ、体内酸素飽和度インジケータ、体温測定インジケータ、皮膚電気活性インジケータ、体内呼吸インジケータ、および物質的または感情的ストレスインジケータを含み、前記方法が、
前記任意のライフサインインジケータがクリティカルレベルを測定したときは常に、任意の群の登録済緊急センタへの緊急呼出しを起動するステップをさらに含み、
前記緊急呼出しは、前記ユーザの識別、前記ユーザの個人医療データファイル、前記ユーザのライフサインパラメータおよび前記ユーザの位置の測定セットを含む、前記ユーザに関連する任意の群のデータファイル情報を伝送する、請求項２０に記載の方法。
【請求項２３】
前記装置は、前記プロセッサ、並びに前記通信およびデータ接続手段と通信する救急ボタンをさらに備えており、前記方法が、
前記救急ボタンが作動したときに、前記装置と任意の群の登録済緊急センタとの通信を起動するステップと、
前記緊急呼出しにより、前記ユーザの識別、前記ユーザの個人医療データファイル、および前記ユーザの位置を含む、前記ユーザに関連する任意の群のデータファイル情報を転送するステップと、をさらに含む、請求項２０に記載の方法。
【請求項２４】
通信手段の群の任意の１つを通じて、銀行、クレジットカード会社、クリニック、病院および医療保険会社、地方自治体および公益事業団体、並びに前記ユーザによって頻繁にアクセスされるウェブサイトを含むサービスプロバイダの任意の群と通信することにより、前記ユーザに、前記サービスプロバイダの群によって保存されている前記ユーザ個人データおよびドキュメンテーションファイルにアクセスかつそれを管理可能にさせるステップをさらに含む、請求項２０に記載の方法。
【請求項２５】
前記装置は磁気帯要素をさらに備えており、前記方法が、
前記ユーザの個人生物学的識別パラメータの肯定的な認証後に、前記磁気帯を作動させることにより、それをクレジットカードリーダ、ＡＴＭ、および販売時磁気帯読み出しデバイスを含む任意の群のデバイスによって読み出すステップをさらに含む、請求項２０に記載の方法。
【請求項２６】
前記装置は電力充電およびデータバックアップデバイスをさらに備えており、前記デバイスは、充電および電源ユニット、電子サブユニット、および大容量固体メモリユニットを備えており、前記方法が、
前記装置の前記第一の保存ユニットの記憶内容と、前記大容量固体メモリユニットの記憶内容とを比較するステップと、
前記装置の前記第一の保存ユニット内のデータが欠如している場合に、前記第一の保存ユニットを、前記固体メモリユニット内に保存されている前記データの最新バージョンを用いて更新するステップと、
前記デバイスの前記固体メモリユニット内のデータが欠如していた場合に、前記デバイスの前記固体メモリユニットを、前記装置の前記固体メモリユニット内に保存されている前記データの最新バージョンを用いて更新するステップと、をさらに含む、請求項２０に記載の方法。
【請求項２７】
前記複数の固有ユーザ各々が、前記複数の固有ユーザの遠隔集中データ通信ストレージおよび管理システムを管理するシステム管理者と通信し、前記方法が、
ａ．前記システム管理者が各固有ユーザを登録し、前記集中システムに接続されているメモリサブシステム内の前記各固有ユーザの個人ＩＤデータファイルを保存するステップと、
ｂ．前記登録は、前記システム管理者が、Ｎ組の２つの異なるランダムに選択された、その長さがｎ個の英数字の組み合わせである文字列各々を、システムユーザごとに生成するステップをさらに含み、
ｃ．前記システム管理者が、前記システムのメモリサブシステム内の前記Ｎ組を保存し、前記固有ユーザの個人識別ユニットのメモリモジュールに保存するために、前記ｎ個の文字列の組を送信するステップと、
ｄ．前記個人識別ユニットが、前記関連ユーザ間の任意の識別またはリンクを、彼の登録済シークレットアクセスコードに割り当てること無く、前記複数の固有ユーザに関連する前記シークレットアクセスコードのリストを含む、特別なパーティション内の前記システムメモリにさらに保存するための、Ｌ個の英数字のシークレットアクセスコードを生成するステップと、をさらに含む、請求項２０に記載の方法。
【請求項２８】
登録、および前記システム管理者と各固有ユーザとの通信の正常起動後に、前記システム管理者は前記固有ユーザとさらに通信し、最初に、前記固有ユーザの個人識別ユニットに保存されている、前記固有ユーザのＩＤデータファイルおよび前記個人識別ユニットに固有に埋め込まれた特徴付け整理番号と、前記メモリサブシステムに保存されている前記対応するユーザＩＤおよび個人識別データとを比較し、前記２つの識別データセットが一致する場合に、
ｉ．前記システム管理者は、前記保存されたＮ列のコード化された英数字データの第１の文字列を、前記ユーザの個人識別ユニットに送信し、
ｉｉ．前記ユーザ個人識別ユニットは、前記ユーザ個人識別ユニットに固有に関連する前記同一の保存されたコード化された英数字データの組うちの第２の一致文字列に応答し、
ｉｉｉ．前記システム管理者は、前記コード化された英数字データのうちの受信した第２の文字列と、前記メモリサブシステムに事前に保存されているコード化された英数字データのうちの第２の文字列とを比較し、
ｉｖ．前記システム管理者は、前記固有ユーザに関連する前記個人識別ユニットの前記メモリに事前に保存されているコード化された英数字データのうちの前記受信した追加の異なる文字列と、前記メモリサブシステムに事前に保存されているコード化された英数字データのうちの前記追加の文字列とを、Ｎの中からＭの連続的な回数比較し、
ｖ．コード化された英数字データのうちの全てのＭ列が一致した場合に、前記システム管理者は、前記固有ユーザの認証を断言し、前記固有ユーザに、前記システムへのアクセスを許可する、請求項２７に記載の方法。
【請求項２９】
前記ユーザが前記システムへのアクセスを得た後に、前記ユーザは、前記システムメモリの非保護部を扱うか、前記システムメモリ内のプライベート保護メモリパーティションへの、各このようなユーザに唯一のアクセスを許可する前記シークレットアクセスコードを、前記個人識別ユニットから送信することにより、前記システムメモリに保存されている前記ユーザの保護個人データへのアクセスを得るかを選択する、請求項２８に記載の方法。
【請求項３０】
前記認証ステップ後、前記システム管理者は、前記固有ユーザの前記個人識別ユニットと、前記ユーザ個人識別ユニットのリクエストにおいて、前記システム管理者によって登録済の緊急センタまたはサービスプロバイダの任意の群とを接続するステップと、
前記個人識別ユニットにより救急医療呼出しが起動した場合に、前記ユーザの最新の医療データを前記緊急センタに転送するステップと、をさらに含む、請求項２７に記載の方法。
【請求項３１】
複数の固有ユーザの個人の保護データおよびドキュメンテーションファイルを管理するためのシステムであって、
ａ．前記システムの複数の前記固有ユーザの前記個人データを管理および更新するための、および、前記複数の固有ユーザ各々および複数のサービスプロバイダとの全二重通信のための、システム管理者と、
ｂ．前記システム管理者に接続し、前記複数の固有ユーザ各々の最新の個人データを保存する保存システムと、
ｃ．複数の個人識別ユニットであって、前記個人識別ユニットの各々が固有ユーザに関連し、前記固有ユーザの各々が前記システム管理者に登録され、前記個人識別ユニットの各々が、前記固有ユーザの各々の個人ＩＤデータファイルを保存するように構成された保存ユニットを含む複数の個人識別ユニット、および、前記装置を保持するユーザの複数の個人生物学的バイオメトリックス識別パラメータを読み込むための、前記個人識別ユニットに組み込まれた複数のバイオメトリックセンサ、および、前記個人識別ユニットに組み込まれた少なくとも一つのライフサイン検出器であって、少なくとも一つの前記ユーザのライフサインパラメータを測定および記録するように構成されたライフサイン検出器と、
ｄ．前記システム管理者と通信し、彼らの対応する個人識別ユニットを通じて、前記システム管理者と前記複数の固有ユーザとの直接接続を可能にする、複数のコンピュータホストおよび携帯電話と、
ｅ．前記システム管理者と通信する複数の登録済緊急センタ、並びに銀行、クレジットカード会社、保険会社、クリニック、病院および医療保険会社、政府機関、地方自治体および公益事業団体、並びに前記複数のユーザによって頻繁にアクセスされる選択されたウェブサイトを含む複数の登録済サービスプロバイダと、
を備えており、
前記固有ユーザ各々に関連する前記個人識別ユニットに保存されている前記個人データおよびドキュメンテーションファイル、並びに前記サービスプロバイダの群によって保存されている前記個人データおよびドキュメンテーションファイルへの前記システム管理者のアクセスおよび通信が、前記認証ユニットによる、前記固有ユーザの個人生物学的バイオメトリックス識別パラメータの各々の肯定的な認証後および前記ユーザのライフサインパラメータの各々の通常の測定された出力の測定後のみに有効になり、
前記複数のバイオメトリックセンサの少なくとも１つは、前記ユーザのライフサインパラメータの少なくとも１つを測定および記録するように構成されたライフサイン検出器であり、および、
前記ユーザのライフサインパラメータの前記少なくとも１つは、脈拍測定インジケータ、体内酸素飽和度インジケータ、体温測定インジケータ、皮膚電気活性インジケータ、体内呼吸インジケータ、および物質的または感情的ストレスインジケータを含むライフサインインジケータの群のいずれかにより測定される、
システム。
【請求項３２】
前記複数の個人識別ユニット各々は、
ｉ．前記ユーザに固有に識別される前記個人識別ユニットを保持する前記ユーザの複数の個人生物学的バイオメトリックス識別パラメータを読み出すための複数のバイオメトリックセンサを備えたセンサモジュールと、
ｉｉ．前記センサモジュールと通信し、前記個人生物学的識別パラメータを処理し、前記ユーザに関連する前記個人の保護データおよびドキュメンテーションファイルを処理および管理するプロセッサと、
ｉｉｉ．前記プロセッサと通信し、前記センサモジュールにより読み出され、前記プロセッサにより処理された、前記ユーザの個人生物学的識別パラメータと、前記認証ユニットに保存されている、事前に記録された個人生物学的識別パラメータセットと、を比較することにより、前記ユーザのアイデンティティを受信および確認するように構成されている認証ユニットと、
ｉｖ．前記プロセッサと通信し、前記ユーザのデータファイルの圧縮による暗号化および／または復号による復元を実行する暗号化モジュールと、
ｖ．前記プロセッサおよび前記暗号化モジュールと通信し、前記ユーザのデータおよびドキュメンテーションファイルを保存するメモリモジュールと、
ｖｉ．前記プロセッサと通信し、前記個人識別ユニットと、前記システム管理者および複数のサービスプロバイダとを接続する通信およびデータ接続手段と、備えている、請求項３１に記載のシステム。
【請求項３３】
前記システム管理者は、
前記個人識別ユニットと通信し、前記固有ユーザの個人識別ユニットに保存されている前記ユーザのＩＤデータファイルと、前記保存ユニットに保存されている対応する識別データとを比較し、
前記２つの識別データセットが一致する場合に、当該システム管理者と前記ユーザ個人識別ユニットとの通信およびデータ更新能力が完全になる前に、さらなるセキュリティレベルでの識別を起動するように構成されており、
前記さらなるセキュリティレベルの識別は、前記システム管理者が、前記ユーザ個人識別ユニットに固有に関連するコード化された英数字データの第１の文字列を、前記ユーザ個人識別ユニットに送信することと、前記個人識別ユニットが、前記ユーザ個人識別ユニットに固有に関連するコード化された英数字データのうちの第２の文字列に応答することと、前記システム管理者が、コード化された英数字データのうちの前記受信した第２の文字列と、前記メモリサブシステムに事前に保存されているコード化された英数字データのうちの第２の文字列と、を認証することと、を含み、
前記システム管理者は、前記固有ユーザに関連する前記個人識別ユニットの前記メモリに事前に保存されているコード化された英数字データのうちの受信した追加の異なる文字列と、前記メモリサブシステムに事前に保存されている、計測器が生成したコード化された英数字データのうちの追加の文字列と、を連続的なＮ回、完全に一致するか比較することを含む、請求項３２に記載のシステム。
【請求項３４】
前記複数のバイオメトリックセンサは、彼に固有の個人識別ユニットを保持する前記ユーザに関連する複数の個人生物学的識別パラメータを連続的に読み出し、前記複数の個人生物学的バイオメトリックス識別パラメータのいずれかに変化が生じた場合に、前記保存された個人データファイルへのアクセスを拒絶し、前記識別ユニットの動作を完全に停止する、請求項３２に記載のシステム。
【請求項３５】
各個人識別ユニットは、前記プロセッサ、並びに前記通信およびデータ接続手段モジュールと通信する救急ボタンをさらに備えており、
前記個人識別ユニットは、前記救急ボタンが作動するか、前記ライフサインインジケータの群の任意の１つがクリティカルレベルを検出したときは常に、任意の前記複数の登録済緊急センタへの緊急呼出しを起動するように構成され、
前記個人識別ユニットは、前記ユーザ識別データ、前記ユーザの個人医療データファイル、前記ユーザのライフサインパラメータおよび前記ユーザの位置の測定セットを含む、前記ユーザに関連する情報を含む任意の群のデータファイルを伝送するように構成されている、請求項３２に記載のシステム。
【請求項３６】
任意の前記複数の登録済緊急センタおよび複数の登録済サービスプロバイダからの電話での呼び出しまたは緊急音声およびデータメッセージを受信し、任意の前記複数の携帯電話およびホストコンピュータと通信するように構成されたコンピュータ化されたコールセンタをさらに備えており、
前記コールセンタは、前記ユーザの位置座標に近い緊急救助隊と通信し、同時に、任意の前記複数の登録済緊急センタおよびサービスプロバイダと通信して前記ユーザの最新の医療データを受信し、前記データを、前記ユーザの個人識別ユニットに転送するように構成されている、請求項３１に記載のシステム。
【請求項３７】
前記プロセッサと通信し、前記ユーザのデータファイルの圧縮による暗号化および復号による復元を実行する暗号化ユニットをさらに備える請求項１に記載の装置。
【請求項３８】
前記プロセッサ、並びに前記通信およびデータ接続手段モジュールと通信する救急ボタンをさらに備えており、
前記救急ボタンを作動させると、前記装置と任意の群の登録済緊急センタとの通信が起動し、緊急呼出しにより、前記ユーザの前記識別データ、前記ユーザの前記個人医療データファイル、および前記ユーザの位置を含む、前記装置の前記固有ユーザに関連する情報を含む任意の群のデータファイルが伝送される、
請求項１に記載の装置。